(57)【要約】【課題】  ディスク再生装置において、アウターシャシとクランパアームとの干渉に起因する叩打音（ノイズ）の発生を抑制する。【解決手段】  所定の移動体に固定されるアウターシャシ１０と、アウターシャシ１０の内側に配置されてディスクが収納されるメインシャシ３０と、メインシャシ３０に上下方向に回動自在に取り付けられるクランパアーム３２と、を備え、ディスク未納時にクランパアーム３２を上方に回動させるとともにアウターシャシ１０に対してメインシャシ３０を固定状態とする一方、ディスク収納時にクランパアーム３２を下方に回動させるとともにアウターシャシ１０に対してメインシャシ３０を浮動状態とするディスク再生装置において、固定状態でクランパアーム３２を上方に回動させるような付勢力Ｆ1を発生させるとともに、アウターシャシ１０とメインシャシ３０とを連結して浮動状態を実現させるスプリング２０を備える。【選択図】図２
2005259298.tif 000002
【特許請求の範囲】
【請求項１】
所定の移動体に固定されるアウターシャシと、前記アウターシャシの内側に配置されてディスクが収納されるメインシャシと、前記メインシャシに上下方向に回動自在に取り付けられるクランパアームと、を備え、ディスク未納時に前記クランパアームを上方に回動させるとともに前記アウターシャシに対して前記メインシャシをロック状態とする一方、ディスク収納時に前記クランパアームを下方に回動させるとともに前記アウターシャシに対して前記メインシャシをフローティング状態とするディスク再生装置において、
前記ロック状態で前記クランパアームを上方に回動させるような付勢力を発生させるとともに、前記アウターシャシと前記メインシャシとを連結して前記フローティング状態を実現させる弾性体を備えることを特徴とするディスク再生装置。
【請求項２】
前記弾性体は、
導電性を有する材料で調製されることを特徴とする請求項１に記載のディスク再生装置。
【請求項３】
前記弾性体は、
一端が前記アウターシャシに掛止され、他端が前記クランパアームに掛止された金属製のスプリングであることを特徴とする請求項２に記載のディスク再生装置。
【発明の詳細な説明】
【技術分野】
【０００１】
本発明は、ディスク再生装置に関する。
【背景技術】
【０００２】
従来より、ＣＤ（Compact Disc）やＤＶＤ（Digital Versatile Disc）等の各種ディスク状情報記録媒体（以下、単に「ディスク」という）を収納して再生を行うディスク再生装置が提案され、実用化されている（例えば、特許文献１参照。）。
【０００３】
かかるディスク再生装置が移動体の一部（例えば自動車の運転席のダッシュボード）に固定される場合には、移動体に加えられた衝撃や移動体の振動がディスク再生装置に伝達されて、ディスクの再生動作が妨げられることがある。このため、近年においては、移動体に固定される筐体（アウターシャシ）と、ディスクが収納される筐体（メインシャシ）と、を別々に設け、スプリングを介してアウターシャシにメインシャシを吊り下げて非接触の浮動（フローティング）状態を実現させることにより、ディスクに伝達される衝撃や振動を緩和する技術が提案されている。
【０００４】
このような浮動状態を実現させるための従来のディスク浮動機構を、図４及び図５を用いて説明する。従来のディスク浮動機構は、図４及び図５に示すように、所定の移動体の一部に固定されるアウターシャシ１１０の第１掛止部１１１と、ディスク収納部を有するメインシャシ１２０の第２掛止部１２１と、一方の端部が第１掛止部１１１に掛止され他方の端部が第２掛止部１２１に掛止されるスプリング１３０と、から構成されている。メインシャシ１２０は、上下方向に回動自在なクランパアーム１２２を備えており、このクランパアーム１２２の先端に取り付けられたクランパ１２３と、メインシャシ１２０に設けられたターンテーブル１２４と、によって図５（ｂ）に示すようにディスクＤをクランプするようになっている。
【０００５】
前記したディスク浮動機構を有するディスク再生装置のメインシャシ１２０にディスクが収納されると、スライダ１４０が前方に移動し、図５（ｂ）に示すようにクランパアーム１２２が下方に回動してディスクＤがクランプされるとともに、スプリング１３０を介してメインシャシ１２０がアウターシャシ１１０に非接触で吊り下げられて浮動（フローティング）状態とされていた。一方、ディスク未納時においては、図４（ｂ）に示すようにクランパアーム１２２が上方に回動するとともに、所定のロック機構によりアウターシャシ１１０にメインシャシ１２０が固定されていた（ロック状態）。
【特許文献１】特開２００２−２８８９０７号公報（第２頁、第４図）
【発明の開示】
【発明が解決しようとする課題】
【０００６】
ところで、従来のディスク浮動機構を有するディスク再生装置においては、図４（ｂ）に示すように、ディスク未納時の「ロック状態」でクランパアーム１２２の位置決め部１２２ａの上面をアウターシャシ１１０の舌片１１２の下面に当接させている。そして、クランパアーム１２２に設けられた板バネ１２２ｂの端部をスライダ１４０の溝１４１の上部に係止させることにより、板バネ１２２ｂの弾性力でクランパアーム１２２を上方に押し上げていた。このような板バネ１２２ｂの弾性力に起因して、アウターシャシ１１０の舌片１１２をクランパアーム１２２の位置決め部１２２ａで押し上げる押上荷重が発生し、この押上荷重によりアウターシャシ１１０にクランパアーム１２２が押し付けられて位置決めがなされている。
【０００７】
しかし、板バネ１２２ｂの弾性力のみによって発生する押上荷重は小さいため、移動体の振動等に起因してアウターシャシ１１０が振動すると、アウターシャシ１１０の舌片１１２にクランパアーム１２２の位置決め部１２２ａが干渉して、叩打音（ノイズ）が発生するという問題があった。特に、板バネ１２２ｂがディスク再生装置の左右何れか一方（例えば右側）にのみ設けられ、舌片１１２と位置決め部１２２ａとが左右両方に設けられる場合には、板バネ１２２ｂに対して遠い方（左側）の「押上荷重」が近い方（右側）の「押上荷重」と比較して小さくなり、板バネ１２２ｂに対して遠い方（左側）で叩打音が顕著に発生することとなっていた。
【０００８】
近年においては、前記した叩打音の発生を抑制する目的で、アウターシャシ１１０の舌片１１２及び／又はクランパアーム１２２の位置決め部１２２ａを「樹脂材料」で構成する技術が実用化されている。また、材料費を低減する目的で、メインシャシ１２０全体を「樹脂材料」で構成するとともに、メインシャシ１２０に取り付けられるクランパアーム１２２の回動軸をも「樹脂材料」で構成する技術が提案されている。
【０００９】
しかし、前記した樹脂を用いる技術を採用すると、クランパアーム１２２はアウターシャシ１１０及びメインシャシ１２０に対して電気的に絶縁された状態となるため、メインシャシ１２０に挿入されたディスクに静電気が帯電している場合に、その静電気を、クランパアーム１２２を介して放電することができなかった。従って、ディスクに帯電した静電気がメインシャシ１２０に搭載された各種電子機器（サーボＰＣＢや光ピックアップ）に放電される可能性が高くなり、電子機器の誤動作や破損を招来するおそれがあった。
【００１０】
本発明の課題は、所定の移動体に固定されるディスク再生装置において、アウターシャシとクランパアームとの干渉に起因する叩打音（ノイズ）の発生を抑制することである。
【課題を解決するための手段】
【００１１】
以上の課題を解決するために、請求項１に記載の発明は、
所定の移動体に固定されるアウターシャシと、前記アウターシャシの内側に配置されてディスクが収納されるメインシャシと、前記メインシャシに上下方向に回動自在に取り付けられるクランパアームと、を備え、ディスク未納時に前記クランパアームを上方に回動させるとともに前記アウターシャシに対して前記メインシャシをロック状態とする一方、ディスク収納時に前記クランパアームを下方に回動させるとともに前記アウターシャシに対して前記メインシャシをフローティング状態とするディスク再生装置において、
前記ロック状態で前記クランパアームを上方に回動させるような付勢力を発生させるとともに、前記アウターシャシと前記メインシャシとを連結して前記フローティング状態を実現させる弾性体を備えることを特徴とする。
【００１２】
請求項２に記載の発明は、請求項１に記載のディスク再生装置において、
前記弾性体は、
導電性を有する材料で調製されることを特徴とする。
【００１３】
請求項３に記載の発明は、請求項２に記載のディスク再生装置において、
前記弾性体は、
一端が前記アウターシャシに掛止され、他端が前記クランパアームに掛止された金属製のスプリングであることを特徴とする。
【発明の効果】
【００１４】
本発明によれば、ディスク再生装置のアウターシャシとクランパアームとの干渉に起因する叩打音（ノイズ）の発生を抑制することができる。
【発明を実施するための最良の形態】
【００１５】
以下、本発明の実施の形態を、図を用いて詳細に説明する。
【００１６】
まず、図１〜図３を用いて、本実施の形態に係るディスク再生装置１の構成について説明する。
【００１７】
ディスク再生装置１は、図１に示すように、所定の場所（例えば運転席のダッシュボード）に固定されるアウターシャシ１０、スプリング２０やダンパを介してアウターシャシ１０の内側に取り付けられるメインシャシ３０、各種電子機器を制御する制御回路が設けられたサーボＰＣＢ４０、等を備えて構成されている。ディスク再生装置１は、メインシャシ３０にディスクを収納して再生を行うものであり、ディスク未納時の「ロック状態」とディスク収納時の「フローティング状態」との切替えが可能な構成を有している。
【００１８】
なお、本発明において「ロック状態」とは、アウターシャシ１０に対してメインシャシ３０が固定された状態を意味し、「フローティング状態」とは、アウターシャシ１０に対してメインシャシ３０が非接触で吊り下げられた状態（浮動状態）を意味する。「フローティング状態」においては、スプリング２０の弾性力及びダンパの振動減衰力により、メインシャシ３０は振動や衝撃から保護されることとなる。
【００１９】
アウターシャシ１０は、図１に示すように、平面形状が矩形状の上板１１と、左右及び後方に設けられた側壁１２と、を有する枠状部材であり、主に金属材料で構成されている。アウターシャシ１０の上板１１の後方部分には、図１に示すように、メインシャシ３０のクランパアーム３２（後述）の平面形状に対応する外形を有する孔部１１ａが設けられている。
【００２０】
また、アウターシャシ１０の上板１１の前方及び後方には、図１〜図３に示すように、スプリング２０の端部を掛止させる第１掛止部１１ｂが左右対称に計４つ設けられている。また、アウターシャシ１０の上板１１には、図１に示すように、メインシャシ３０に取り付けられたクランパアーム３２の位置決め部３２ｃ（後述）を下方から当接させる２つの舌片１１ｃが左右対称に設けられている。これら舌片１１ｃは、クランパアーム３２の位置決め部３２ｃとの干渉に起因して発生する叩打音（ノイズ）を抑制する目的で、合成樹脂で調製されている。
【００２１】
スプリング２０は、本発明における弾性体であり、図１に示すようにディスク再生装置１の前方及び後方の左右対称な位置に計４つ配置されて、ディスク未納時の「ロック状態」においてメインシャシ３０を上方に回動させるような付勢力を発生させるものである。スプリング２０は、導電性を有する金属材料で調製されており、金属材料で構成されたアウターシャシ１０とメインシャシ３０とを電気的に接続することができる。
【００２２】
前方に配置される２つのスプリング２０は、図２及び図３に示すように、一方の端部がアウターシャシ１０の前方の第１掛止部１１ｂに掛止されるとともに、他方の端部がメインシャシ３０の前方に設けられた第２掛止部３２ｂ（後述）に掛止される。また、後方に配置される２つのスプリング２０は、図２及び図３に示すように、一方の端部がアウターシャシ１０の後方の第１掛止部１１ｂに掛止されるとともに、他方の端部がメインシャシ３０のクランパアーム３２に設けられた後方の第２掛止部３２ｂ（後述）に掛止される。
【００２３】
メインシャシ３０は、図１に示すように、平面形状が矩形状の枠状部材であり、主に金属材料で構成されている。メインシャシ３０は、前方に設けられたディスク挿入口３１、挿入されたディスクをクランプするディスククランプ機構、クランプされたディスクの再生を行うディスク再生機構、等を備えている。
【００２４】
メインシャシ３０のディスククランプ機構は、図１及び図２に示すように、メインシャシ３０の後方に取り付けられ所定の回動軸３２ａを中心に上下に回動するクランパアーム３２、クランパアーム３２の先端部に取り付けられたクランパ３３、ディスクが載置された状態で回転するターンテーブル３４等で構成されている。ディスククランプ機構は、クランパアーム３２の回動による下方への押圧力をクランパ３３に伝達することにより、図３（ａ）に示すようにターンテーブル３４上に載置されたディスクＤをクランプするものである。
【００２５】
メインシャシ３０のディスク再生機構は、ターンテーブル３４を回転駆動するスピンドルモータや、ディスクを読み取る光ピックアップ等で構成されており、サーボＰＣＢ４０の制御回路により制御される。なお、スピンドルモータ及び光ピックアップについては、図示を省略している。
【００２６】
また、メインシャシ３０の前方及びクランパアーム３２の回動軸３２ａの近傍には、図１〜図３に示すように、スプリング２０の端部を掛止させる第２掛止部３２ｂが左右対称に計４つ設けられている。また、メインシャシ３０に取り付けられたクランパアーム３２には、図１に示すように、アウターシャシ１０の上板１１に設けられた２つの舌片１１ｃの下面に当接する２つの位置決め部３２ｃが設けられている。これら位置決め部３２ｃは、ディスク未納時においてアウターシャシ１０の舌片１１ｃの下面に当接することにより、クランパアーム３２の上下方向の位置決めを行うものである。
【００２７】
また、メインシャシ３０のクランパアーム３２の右側端部には、図１〜図３に示すように、板バネ３２ｄが設けられている。板バネ３２ｄは、スライダ３５（後述）に係止して撓むことにより、ディスク未納時の「ロック状態」でクランパアーム３２を上方に押し上げる一方、ディスク収納時の「フローティング状態」でクランパアーム３２を下方に押し下げるものである。
【００２８】
また、メインシャシ３０の右側端部上面には、図１〜図３に示すように、前後方向に移動自在なスライダ３５が設けられている。スライダ３５は、メインシャシ３０にディスクが収納されると、図示されていないギア群によって駆動されて前方に移動するものである。スライダ３５には、図１（ｂ）及び図２（ｂ）に示すように、板バネ３２ｄの端部を係止させる溝部３５ａが設けられている。
【００２９】
次に、図２及び図３を用いて、本発明の実施の形態に係るディスク再生装置１の「ロック状態」及び「フローティング状態」におけるスプリング２０及び板バネ３２ｄの作用について説明する。
【００３０】
ディスク未納時の「ロック状態」においては、図２（ｂ）に示すように、アウターシャシ１０の第１掛止部１１ｂとクランパアーム３２の第２掛止部３２ｂとの間に掛止されたスプリング２０により、クランパアーム３２を上方に回動させるように付勢することができる。このようなスプリング２０の付勢力（押上荷重Ｆ1）によりクランパアーム３２が上方に回動した結果、図２（ｂ）に示すように、クランパアーム３２の位置決め部３２ｃがアウターシャシ１０の舌片１１ｃに当接し、さらに位置決め部３２ｃが舌片１１ｃを上方に押し上げる。
【００３１】
また、ディスク未納時の「ロック状態」においては、図２（ｂ）に示すように、スプリング２０の付勢力によりクランパアーム３２に取り付けられた板バネ３２ｄが上方に移動し、スライダ３５の溝部３５ａの上方に板バネ３２ｄの端部が係止する。このように板バネ３２ｄの端部がスライダ３５の溝部３５ａの上方に係止すると、板バネ３２ｄの撓みに起因する弾性力（押上荷重Ｆ2）がクランパアーム３２全体に作用してクランパアーム３２がさらに上方に押し上げられる。この結果、クランパアーム３２の位置決め部３２ｃがアウターシャシ１０の舌片１１ｃをさらに上方に押し上げる。
【００３２】
すなわち、ディスク未納時の「ロック状態」においては、図２（ｂ）に示すように、スプリング２０に起因する押上荷重Ｆ1と、板バネ３２ｄに起因する押上荷重Ｆ2と、の双方を、クランパアーム３２の位置決め部３２ｃを介してアウターシャシ１０に作用させることができる。
【００３３】
一方、ディスク収納時の「フローティング状態」においては、図３（ｂ）に示すようにスライダ３５が前方に移動し、スライダ３５の溝部３５ａと板バネ３２ｄの端部との係止状態が解除される。そして、スライダ３５の下部に板バネ３２ｄの端部が係止する。このように板バネ３２ｄの端部がスライダ３５の下部に係止すると、板バネ３２ｄの撓みに起因する弾性力（クランプ荷重Ｆ3）がクランパアーム３２全体に作用してクランパアーム３２が下方に押し下げられる。この結果、図３（ｂ）に示すように、クランパアーム３２の位置決め部３２ｃがアウターシャシ１０の舌片１１ｃから離隔し、クランパ３３とターンテーブル３４とが近接してディスクＤのクランプが実現される。
【００３４】
すなわち、ディスク収納時の「フローティング状態」においては、図３（ｂ）に示すように、板バネ３２ｄに起因するクランプ荷重Ｆ3（クランパアーム３２を下方に押し下げる力）をディスクＤに作用させることができる。
【００３５】
なお、ディスク収納時の「フローティング状態」においては、クランパアーム３２の位置決め部３２ｃとアウターシャシ１０の舌片１１ｃとの当接状態が解除されるため、図３に示すようにメインシャシ３０が上方に移動してアウターシャシ１０に接近する。従って、図３（ｂ）に示すように、スプリング２０はアウターシャシ１０やメインシャシ３０に対して略平行な状態となるため、スプリング２０の上方への付勢力は小さくなるので、スプリング２０の付勢力が板バネ３２ｄのクランプ荷重Ｆ3に与える影響は少ない。
【００３６】
以上説明した実施の形態に係るディスク再生装置１においては、一端がアウターシャシ１０の一部（第１掛止部１１ｂ）に掛止され、他端がクランパアーム１０の一部（第２掛止部３２ｂ）に掛止されるスプリング２０により、ディスク未納時の「ロック状態」においてクランパアーム３２を上方に回動させるような付勢力（押上荷重Ｆ1）を発生させることができる（図２（ｂ）参照）。従って、スプリング２０に起因する押上荷重Ｆ1と板バネ３２ｄに起因する押上荷重Ｆ2とにより、アウターシャシ１０の舌片１１ｃにクランパアーム３２の位置決め部３２ｃが強く押し付けられるので、装置の振動等に起因する叩打音（ノイズ）の発生を抑制することができる。
【００３７】
また、以上説明した実施の形態に係るディスク再生装置１においては、スプリング２０が導電性を有する金属材料で調製されているので、メインシャシ３０に挿入されたディスクＤに静電気が帯電している場合に、その静電気を、クランパアーム３２、スプリング２０及びアウターシャシ１０を順次経由させて外部に放電することができる。従って、ディスクＤに帯電した静電気がメインシャシ３０に搭載された各種電子機器（スピンドルモータ、光ピックアップ、サーボＰＣＢ４０等）に放電される可能性が低くなり、電子機器の誤動作や破損を阻止することができる。
【００３８】
なお、以上の実施の形態においては、本発明における弾性体であるスプリング２０を、図１に示すようにディスク再生装置１の前方及び後方の左右対称な位置に計４つ配置した例を示したが、ディスク再生装置１全体のサイズ、板バネ３２ｄの弾性力、クランプアーム３２の重量等を勘案して、スプリング２０の位置や個数を適宜変更することもできる。
【００３９】
また、以上の実施の形態においては、本発明における弾性体として、一端がアウターシャシ１０に掛止され、他端がクランパアーム３２に掛止されるスプリング２０を採用した例を示したが、「ロック状態」でクランパアーム３２を上方に回動させるような付勢力を発生させ、かつ、アウターシャシ１０とメインシャシ３０とを連結して「フローティング状態」を実現させる他の弾性体を採用することもできる。また、以上の実施の形態においては、金属製のスプリング２０を採用した例を示したが、導電性を有する他の材料で調製されたスプリング２０を採用することもできる。
【図面の簡単な説明】
【００４０】
【図１】（ａ）は本発明の実施の形態に係るディスク再生装置の分解斜視図であり、（ｂ）は（ａ）に示したディスク再生装置のＢ部分（板バネ及びスライダ）の係止状態を示す説明図である。
【図２】（ａ）は本実施の形態に係るディスク再生装置のロック状態における右側面透視図であり、（ｂ）は（ａ）のＢ部分の拡大図である。
【図３】（ａ）は本実施の形態に係るディスク再生装置のフローティング状態における右側面（一部切欠）透視図であり、（ｂ）は（ａ）のＢ部分の拡大図である。
【図４】（ａ）は従来のディスク再生装置のロック状態における右側面透視図であり、（ｂ）は（ａ）のＢ部分の拡大図である。
【図５】（ａ）は従来のディスク再生装置のフローティング状態における右側面（一部切欠）透視図であり、（ｂ）は（ａ）のＢ部分の拡大図である。
【符号の説明】
【００４１】
１    ディスク再生装置
１０  アウターシャシ
２０  スプリング（弾性体）
３０  メインシャシ
３２  クランパアーム
Ｄ    ディスク
Ｆ1  押上荷重（ロック状態でクランパアームを上方に回動させるような付勢力）
【図１】
2005259298.tif 000003
【図２】
2005259298.tif 000004
【図３】
2005259298.tif 000005
【図４】
2005259298.tif 000006
【図５】
2005259298.tif 000007